(57)【特許請求の範囲】
【請求項１】
遊戯盤３の遊戯領域に取着された外レールＲ2 と内レールＲ1 との間に、発射装置部側から打ち出された発射玉Ｐ1 を通過し得る玉通路１が形成されて、該玉通路１の上端に開口された放てき口２から遊戯領域に放てきされた飛玉Ｐ2 が、戻り玉Ｐ3 となって前記玉通路１に戻ることを防止するための玉戻り防止部材Ａが、前記放てき口２の近傍部位で遊戯盤３に打込み固定された遊戯釘Ｎ2 と同一釘による支持ピンＮ1 に対して回動可能に装着支持される玉戻り防止装置Ｓであって、
前記玉戻り防止部材Ａは、合成樹脂の一体成型品であって、その上下方向の中央部よりやや下方部分に設けられて前記支持ピンＮ1 の軸部に横向きに嵌込んで回動可能に遊嵌支持されるスリット付円筒状の遊嵌支持部１１と、該遊嵌支持部１１の上方に設けられて前記飛玉Ｐ2 を当て受け得る板状をした羽根板部１２と、前記遊嵌支持部１１の下方に連結板部１３を介して設けられた重り部１４とが一連に形成されて、前記遊嵌支持部１１には、前記支持ピンＮ1 の軸部分に遊嵌し得る被嵌込み穴１１ｂが貫通して軸長方向に沿って形成されていると共に、該被嵌込み穴１１ｂの内径より狭い開口幅のスリット１１ａが軸長方向に形成されて、該遊嵌支持部１１は、前記スリット１１ａを利用して直径の内外方向に弾性的に拡開及び縮少する状態に変形可能になった構成であり、
前記玉戻り防止部材Ａは、前記遊嵌支持部１１のスリット１１ａを前記内レールＲ1 と対向する側に向けて、前記支持ピンＮ1 の軸部分に対して前記遊嵌支持部１１のスリット１１ａを合わせて横向きに嵌込むことにより、遊嵌支持部１１が弾性的に変形して遊嵌支持されて、発射玉Ｐ1 の非通過時には、前記重り部１４により前記羽根板部１２が前記放てき口２を閉じた状態で保持され、
前記発射玉Ｐ1 が前記放てき口２から遊戯領域に放てきされる毎に、前記玉戻り防止部材Ａの羽根板部１２と当接して該玉戻り防止部材Ａを回動させながら押し開いて飛玉Ｐ2 として遊戯領域内に放てきされる一方、遊戯領域内の飛玉Ｐ2 が前記戻り玉Ｐ3 として前記放てき口２に向けて逆戻りした際には、該戻り玉Ｐ3 が放てき口２を閉じた状態の前記羽根板部１２と当接して遊戯領域内側にはね返されて前記玉通路１内への通入が阻止されるように構成したことを特徴とするパチンコ機における玉戻り防止装置。
【発明の詳細な説明】
【０００１】
【発明の属する技術分野】
本発明は、玉通路の終端の放てき口から遊戯領域に放てきされた飛玉が、該玉通路に戻るのを防止するために、放てき口の近傍に装着されるパチンコ機における玉戻り防止装置に関するものである。
【０００２】
なお、本明細書では、「発射玉」，「飛玉」，「戻り玉」の各用語が使用されているが、「発射玉」とは、発射装置から発射されて、後述する内外の２本のレールの重なり部に形成された玉通路内に位置しているパチンコ玉を示し、「飛玉」とは、玉通路の終端の放てき口から遊戯領域に放てきされて、遊戯釘の間を飛び跳ねているパチンコ玉を示し、「戻り玉」とは、飛玉のうち前記玉通路に戻ろうとするパチンコ玉を示す。
【０００３】
【従来の技術】
パチンコ機においては、図１に示されるように、その遊戯盤に略円弧状をした２本のレールＲ1,Ｒ2 が取付けられていて、この２本のレールＲ1,Ｒ2 は、その一部（盤面の左側部）においては、所定間隔をおいて重なり合った状態で取付けられて、重なり合った部分の内外の各レールＲ1,Ｒ2 で形成される通路は、発射装置から発射されたパチンコ玉の玉通路１を形成している。遊戯者が選択した速度でもって、発射装置から発射されたパチンコ玉は、玉通路１を形成する内外の２本のレールＲ1,Ｒ2 のうち、外レールＲ2 に誘導されて、内レールＲ1 の上端（終端）まで達して、当該部分の放てき口２から遊戯盤３の遊戯領域に放てきされる。このようして、内レールＲ1 の上端（終端）の放てき口２から放てきされた飛玉は、遊戯釘に衝突して遊戯領域内において飛び跳ねる。そして、一部の飛玉は、前記放てき口２から玉通路１に戻るものがある。このようになると、発射玉と戻り玉とが玉通路１内において衝突し、遊戯者が望む遊戯領域の特定位置にパチンコ玉を放てきさせることができなかったり、極端な場合には、戻り玉の重みによって、遊戯領域へのパチンコ玉の放てき自体が不能となることもある。
【０００４】
上記した不具合を防止するために、実公平３−３０１３８号公報に開示されているように、パチンコ玉の放てき口を形成している内レールの上端部に、弾性材から成る舌片を取付けたものがある。この弾性材から成る舌片は、その上半部が前記放てき口に進入していて、その下半部は内レールに止着され、該止着部を中心にして、その上半部のみが弾性変形可能になっている。このため、放てき口に上半部が進入した舌片の存在によって、戻り玉が玉通路に進入するのを防止していると同時に、発射玉は、その衝突力によって前記舌片を内レールの側に弾性変形させて、遊戯領域に放てき可能にしている。しかし、この舌片は、発射玉が遊戯領域に放てきされる都度、大きく弾性変形されて撓まされる構造である。よって、舌片が繰り返して撓まされることにより、その弾性力が低下し、最終的には破損されるという問題があった。
【０００５】
上記不具合を防止するために、実開平６−１５６８７号公報に開示の技術が提案されている。この玉戻り防止装置は、前記内レールの上端近傍に取付けられたケース本体と、該ケース本体内に設けた支持釘に遊嵌された板状の玉戻り防止羽根とから成る。この玉戻り防止羽根は、前記支持釘に遊嵌支持される遊嵌支持部と、該遊嵌支持部の上方に設けられて、前記玉通路１内の発射玉が衝突しない状態では、前記放てき口２の一部を閉塞して、戻り玉が玉通路１内に戻るのを防止するための羽根板部と、該羽根板部による放てき口２の一部閉塞状態を維持するために、前記遊嵌支持部の下方に設けられた重り部との３つの部分から成り、前記羽根板部のみがケース本体から突出した構造になっている。
【０００６】
上記玉戻り防止装置は、ケース本体と、玉戻り防止羽根との２つの樹脂部品と、該玉戻り防止羽根を遊嵌支持させるための支持釘との計３個の部品を必要とするのに加えて、ケース本体を遊戯盤に固定するのに複数本の小ネジを必要としている。このため、構成部品点数が多くなると共に、その組付工数も多くなって、組付作業性が悪いという問題があった。
【０００７】
【発明が解決しようとする課題】
本発明は、パチンコ機の玉戻り防止装置を構成する部品点数を最小限にすることにより、その構成を簡単にして、組付工数の削減を図ることを課題としている。
【０００８】
【課題を解決するための手段】
上記課題を解決するための請求項１の発明は、遊戯盤の遊戯領域に取着された外レールと内レールとの間に、発射装置部側から打ち出された発射玉を通過し得る玉通路が形成されて、該玉通路の上端に開口された放てき口から遊戯領域に放てきされた飛玉が、戻り玉となって前記玉通路に戻ることを防止するための玉戻り防止部材が、前記放てき口の近傍部位で遊戯盤に打込み固定された遊戯釘と同一釘による支持ピンに対して回動可能に装着支持される玉戻り防止装置であって、前記玉戻り防止部材は、合成樹脂の一体成型品であって、その上下方向の中央部よりやや下方部分に設けられて前記支持ピンの軸部に横向きに嵌込んで回動可能に遊嵌支持されるスリット付円筒状の遊嵌支持部と、該遊嵌支持部の上方に設けられて前記飛玉を当て受け得る板状をした羽根板部と、前記遊嵌支持部の下方に連結板部を介して設けられた重り部とが一連に形成されて、前記遊嵌支持部には、前記支持ピンの軸部分に遊嵌し得る被嵌込み穴が貫通して軸長方向に沿って形成されていると共に、該被嵌込み穴の内径より狭い開口幅のスリットが軸長方向に形成されて、該遊嵌支持部は、前記スリットを利用して直径の内外方向に弾性的に拡開及び縮少する状態に変形可能になった構成であり、前記玉戻り防止部材は、前記遊嵌支持部のスリットを前記内レールに向けて、前記支持ピンの軸部分に対して前記遊嵌支持部のスリットを合わせて横向きに嵌込むことにより、遊嵌支持部が弾性的に変形して遊嵌支持されて、発射玉の非通過時には、前記重り部により前記羽根板部が前記放てき口を閉じた状態で保持され、前記発射玉が前記放てき口から遊戯領域に放てきされる毎に、前記玉戻り防止部材の羽根板部と当接して該玉戻り防止部材を回動させながら押し開いて飛玉として遊戯領域内に放てきされる一方、遊戯領域内の飛玉が前記戻り玉として前記放てき口に向けて逆戻りした際には、該戻り玉が放てき口を閉じた状態の前記羽根板部と当接して遊戯領域内側にはね返されて前記玉通路内への通入が阻止されるように構成したことを特徴としている。
【０００９】
玉戻り防止部材は、その遊嵌支持部の部分で支持ピンに遊嵌状態で横向きに嵌め込まれて支持されているために、その羽根板部に僅かの力が作用すると、前記遊嵌支持部を中心にして、その全体が左右に自在に回動すると共に、前記羽根板部に作用する力が解除されると、遊嵌支持部の下方に設けられた重り部の復帰作用によって、玉戻り防止部材の全体は、原位置（羽根板部が放てき口に進入して、玉戻りを防止できる位置）に瞬時に復帰する。
【００１０】
このため、玉通路を上昇してきた発射玉が、玉戻り防止部材の羽根板部に衝突すると、該玉戻り防止部材は、自身の遊嵌支持部を中心にして、時計方向（重り部が内レールに近づく方向）に瞬間的に回動すると共に、発射玉が放てき口から遊戯領域に放てきされた直後において、自身の下部に設けられた重り部の復帰作用により、瞬時に原位置に復帰して、玉戻りを防止できる状態となる。また、玉戻り防止部材の遊嵌支持部に軸長方向に形成されたスリットが、支持ピンに該遊嵌支持部が嵌込まれた状態で、内レールと対向する向きであるため、戻り玉が遊嵌支持部のスリットの部分に衝突しなくなって、支持ピンから玉戻り防止部材が外れるのを防止できる。
【００１１】
本発明に係る玉戻り防止装置を構成する玉戻り防止部材は、放てき口の近傍の特定位置に遊戯球と同一の支持ピンを打ち込んでおき、その遊嵌支持部を前記支持ピンに横向きに嵌め込むのみで、ワンタッチで組み付けることができるので、組立作業性が向上する。また、玉戻り防止装置を実質的に構成する部品は、遊嵌支持部と羽根板部と重り部との３つの部分が一体形成された玉戻り防止部材のみの１部品となって、装置の構成も著しく簡単となる。
【００１２】
【発明の実施の形態】
以下、実施例を挙げて本発明を更に詳細に説明する。なお、「従来の技術」の項目で説明した部分との重複説明は避けて、本発明独自の部分についてのみ説明する。図１は、本発明の玉戻り防止装置Ｓを装着したパチンコ機の正面図であり、図２は、発射玉Ｐ1 が放てき口２から放てきされる状態を示す玉戻り防止装置Ｓの周辺の拡大正面図であり、図３は、戻り玉Ｐ3 が玉戻り防止部材Ａの羽根板部１２に衝突して玉戻りが防止される状態を示す玉戻り防止装置Ｓの周辺の拡大正面図であり、図４は、玉戻り防止装置Ｓの周辺を示す斜視図であり、図５は、玉戻り防止部材Ａと、これが嵌め込まれる支持ピンＮ1 との斜視図であり、図６は、玉戻り防止部材Ａを外側から見た斜視図であり、図７は、支持ピンＮ1 に玉戻り防止部材Ａが嵌め込まれた状態の側面図であり、図８は、図７のＸ−Ｘ線断面図である。
【００１３】
玉戻り防止部材Ａは、図５及び図６に示されるように、樹脂の一体成形品であって、その上下方向の中央部よりもやや下方に近い部分にスリット付円筒状をした遊嵌支持部１１が設けられ、該遊嵌支持部１１の上方に板状をした羽根板部１２が設けられ、更に、前記遊嵌支持部１１の下方に連結板部１３を介して重り部１４が設けられた構成である。この玉戻り防止部材Ａは、その遊嵌支持部１１の部分において、遊戯盤３に打ち込まれた支持ピンＮ1 に遊嵌状態で支持される。本実施例の支持ピンＮ1 は、遊戯盤３の遊戯領域に打ち込まれる無数の遊戯釘Ｎ2 と同一の釘で構成され、この無数の遊戯釘Ｎ2 の打込み時に同時に打ち込まれる。図２及び図３に示されるように、支持ピンＮ1 は、遊戯盤３における内レールＲ1 の上端よりもやや遊戯領域内に入り込んだ部分に打ち込まれる。
【００１４】
玉戻り防止部材Ａを構成する遊嵌支持部１１は、円筒体の周方向の特定部に軸方向に沿ったスリット１１ａが設けられた構成であって、その被嵌込み穴１１ｂの内径は、前記支持ピンＮ1 の外径よりも僅かに大きくなっていて、該被嵌込み穴１１ｂに支持ピンＮ1 を嵌め込んで、該支持ピンＮ1 の外側に遊嵌支持部１１を嵌め込んだ状態では、図８に示されるように、被嵌込み穴１１ｂと、支持ピンＮ1 との間に僅かの隙間が形成された遊嵌状態となる。この構造によって、支持ピンＮ1 に対して玉戻り防止部材Ａを回動し易くしている（回動抵抗を小さくしている）。また、遊嵌支持部１１に設けられるスリット１１ａの幅は、支持ピンＮ1 の外径よりも小さくなっていて、該支持ピンＮ1 に遊嵌支持部１１が嵌め込まれた後においては、抜け出ない構造にしてある。更に、このスリット１１ａは、支持ピンＮ1 に玉戻り防止部材Ａが遊嵌支持された状態において、内レールＲ1 と相対向する側に設けられている。この構造によって、戻り玉Ｐ3 が遊嵌支持部１１のスリット１１ａの部分に衝突し、その衝突力によって、支持ピンＮ1 から玉戻り防止部材Ａが外れるのを防止している。
【００１５】
また、羽根板部１２及び重り部１４に関しては、図７に示されるように、いずれも遊嵌支持部１１の長さの範囲内に収まっていて、支持ピンＮ1 に玉戻り防止部材Ａが遊嵌支持された場合において、羽根板部１２及び重り部１４の遊戯盤３の側の各端面が、いずれも該遊戯盤３に接触しないように寸法設計されている。羽根板部１２は、樹脂により薄板状に成形されているために、所定の弾性を有していて、発射玉Ｐ1 の衝突により僅かに弾性変形を行う。これにより、発射玉Ｐ1 との衝突力を緩和して、繰り返して受ける発射玉Ｐ1 との衝突によっても、羽根板部１２が破損しないように考慮してある。
【００１６】
また、重り部１４は、断面略三角形状に形成されていて、該重り部１４を設けることにより、玉戻り防止部材Ａの全体の重心は、円筒状をした遊嵌支持部１１の軸心よりも遙に下方に位置している。この重り部１４は、前記羽根板部１２が玉通路１の上端の放てき口２に進入した状態（図３で示される状態）を維持させる機能と、該羽根板部１２に発射玉Ｐ1 が衝突して時計方向に回動させられた玉戻り防止部材Ａの全体を原位置（羽根板部１２が放てき口２に進入して玉戻りを防止できる位置）に瞬時に復帰させる機能とを有する。なお、図６及び図８において、１６は、羽根板部１２を補強するためのリブを示す。
【００１７】
図３に示されるように、発射玉Ｐ1 が羽根板部１２に衝突しない状態では、該羽根板部１２は放てき口２に進入していて、戻り玉Ｐ3 が該放てき口２から玉通路１に戻れないようになっている。即ち、発射玉Ｐ1 の非衝突時における羽根板部１２の先端と、外レールＲ2 との最少間隔は、パチンコ玉の直径の（2/3)程度となっていて、戻り玉Ｐ3 が遊戯領域から玉通路１に進入できなくなっている。また、図２で二点鎖線で示される位置の羽根板部１２に発射玉Ｐ1 が衝突すると、その衝突力によって、玉戻り防止部材Ａは、時計方向に回動させられて、その下端部の重り部１４が内レールＲ1 の外側面に当接することにより、玉戻り防止部材Ａの時計方向への回動が規制される構造になっている。
【００１８】
更に、本発明の玉戻り防止装置Ｓは、これを構成する玉戻り防止部材Ａの全体が遊戯領域内において露出しているために、戻り玉Ｐ3 が玉戻り防止部材Ａ、特にその重り部１４に衝突する機会を可能な限り少なくすることが望ましい。そこで、遊戯盤３に対する遊戯釘Ｎ2 の配置を工夫して、図３に示されるように、玉戻り防止部材Ａの重り部１４の側方に、遊戯釘Ｎ2 と同一の複数本の保護釘Ｎ3 を打ち込んでおくと、同図で２点鎖線で示されるように、前記保護釘Ｎ3 によって、戻り玉Ｐ3 が玉戻り防止部材Ａの重り部１４に衝突するのを防止できて、玉戻り防止の本来の機能が確保される。この保護釘Ｎ3 は、玉戻り防止装置Ｓの周辺であって、発射玉Ｐ1 の放てき通路を除く部分における戻り玉Ｐ3 の到来頻度が高い領域に打ち込んで、戻り玉Ｐ3 が玉戻り防止部材Ａの遊嵌支持部１１及び羽根板部１２に衝突するのを防止することも有効である。図２に示される例では、２本の保護釘Ｎ3 が、玉戻り防止部材Ａの原位置において、その羽根板部１２の側方に、内外の各レールＲ1,Ｒ2 の略半径方向に沿って打ち込まれている。
【００１９】
次に、本発明に係る玉戻り防止装置Ｓの作用について説明する。図２で２点鎖線で示される状態は、玉戻り防止部材Ａの重り部１４の作用によって、遊嵌支持部１１に羽根板部１２を連結している連結板部１５の下端部が内レールＲ1 の上端に当接して、該羽根板部１２の全体が玉通路１の上端の放てき口２に進入して、玉戻りが防止されている状態である。パチンコ機の発射装置によって、パチンコ玉は次々に発射されて、外レールＲ2 に誘導されながら玉通路１を通って、その上端の放てき口２に達すると、当該部分に進入している玉戻り防止部材Ａの羽根板部１２に衝突し、その衝突力によって、図２で実線で示されるように該玉戻り防止部材Ａを時計方向に回動させて、その羽根板部１２を放てき口２から退避させることにより、遊戯盤３の遊戯領域に飛玉Ｐ2 が放てきされる。発射玉Ｐ1 が放てき口２から遊戯領域に飛び出した直後において、時計方向に回動されている玉戻り防止部材Ａは、その下端部の重り部１４の復帰作用によって、原位置に瞬時に復帰されて、玉戻りの防止の機能を果たす。パチンコ玉の発射周期と同周期でもって、玉戻り防止部材Ａの上記作用が連続的に繰り返されて、戻り玉Ｐ3 が放てき口２を通って玉通路１に戻るのを防止している。
【００２０】
このため、図３に示されるように、放てき口２から発射玉Ｐ1 が放てきされない時間帯において、戻り玉Ｐ3 が該放てき口２の部分に到来しても、当該部分に位置している玉戻り防止部材Ａの羽根板部１２に衝突して、玉通路１内に戻るのが確実に防止される。
【００２１】
また、玉戻り防止部材に関しては、支持ピン部材に遊嵌される遊嵌支持部と、該遊嵌支持部の上方に設けられた羽根板部と、前記遊嵌支持部の下方に設けられて、前記羽根板部が前記放てき口に進入した状態を保持するための重り部との３つの部分を備えておれば、上記実施例の構造のものに限定されず、如何なる構造であってもよい。更に、玉戻り防止部材Ａを遊嵌状態で支持するために遊戯盤３に打ち込まれる支持ピン部材に関しては、上記のように遊戯釘を使用すれば、該遊戯釘の打込み時に同時に打ち込むことができて、パチンコ機全体としての組付作業性が高まる利点があるが、この支持ピン部材は、遊戯釘に限定されず、玉戻り防止部材Ａを遊嵌状態で支持可能であれば、いかなるものであってもよい。
【００２２】
【発明の効果】
本発明は、上記構成であるために、従来の玉戻り防止装置に比較して、以下に記載の独自の作用効果が奏される。（１）遊戯盤に打ち込まれた遊戯球と同一の支持ピンに玉戻り防止部材を横側からワンタッチで嵌め込むことができるため、玉戻り防止装置の組立作業性が高められる。（２）玉戻り防止装置の構成部品は、支持ピンを除けば、遊嵌支持部と羽根板部と重り部との３つの部分が一体形成された玉戻り防止部材のみであるので、装置の全体構成が極めて簡単となる。
【図面の簡単な説明】
【図１】  本発明の玉戻り防止装置Ｓを装着したパチンコ機の正面図である。
【図２】  発射玉Ｐ1 が放てき口２から放てきされる状態を示す玉戻り防止装置Ｓの周辺の拡大正面図である。
【図３】  戻り玉Ｐ3 が玉戻り防止部材Ａの羽根板部１２に衝突して玉戻りが防止される状態を示す玉戻り防止装置Ｓの周辺の拡大正面図である。
【図４】  玉戻り防止装置Ｓの周辺を示す斜視図である。
【図５】  玉戻り防止部材Ａと、これが嵌め込まれる支持ピンＮ1 との斜視図である。
【図６】  玉戻り防止部材Ａを外側から見た斜視図である。
【図７】  支持ピンＮ1 に玉戻り防止部材Ａが嵌め込まれた状態の側面図である。
【図８】  図７のＸ−Ｘ線断面図である。
【符号の説明】
Ａ：玉戻り防止部材
Ｎ1 ：支持ピン
Ｎ2 ：遊戯釘
Ｎ3 ：保護釘
Ｐ1 ：発射玉
Ｐ2 ：飛玉
Ｐ3 ：戻り玉
Ｓ：玉戻り防止装置
Ｒ1 ：内レール
Ｒ2 ：外レール
１：玉通路
２：放てき口
３：遊戯盤
１１：遊嵌支持部
１１ａ：スリット
１１ｂ：被嵌込み穴
１２：羽根板部
１４：重り部
【図１】
0004274292.tif 000002
【図２】
0004274292.tif 000003
【図３】
0004274292.tif 000004
【図４】
0004274292.tif 000005
【図５】
0004274292.tif 000006
【図６】
0004274292.tif 000007
【図７】
0004274292.tif 000008
【図８】
0004274292.tif 000009